(57)【要約】【課題】  本考案のスプリング式座金は図1の丸型又は図2の角型にしても硬弾性質鋼材を使用し山形にて締付力を発揮し構造締結部分の胴付の締付強化に供し耐震性の維持に努める工法を提供する。【解決手段】    丸型スプリング式座金はボルト杆に使用する例が最も適し金属平板座金とナットとの間に挟み敷いて締付力が強いために耐震性等必要な予期せぬ災害時に対応出来、角型スプリング式座金は角梁の上端や下端に管柱が取付く際に梁面に直接敷いてL型補強金物にて柱の胴付締付強化に貢献し異常発生時の建物構造強化に効力を発揮出来る。【選択図】  図2
0003128907.tif 000002
【実用新案登録請求の範囲】
【請求項１】
木造建築の角型平物梁に角型平物梁を取付ける場合に胴付を締付ける目的等補強金物を使用する際に直ボルト若しくは羽子板ボルトなどを用いる場合にボルト杆に挟み敷く丸型スプリング式座金。
【請求項２】
角型梁に管柱を取付ける場合に柱の胴付を締付けるためにL型補強金物を使用する際にL型金物と梁との間に挟み敷く角型スプリング式座金。
【請求項３】
請求項１の丸型スプリング式座金を使用する際の取付工法。並びに請求項２の角型スプリング式座金を使用する際の取付工法。
【考案の詳細な説明】
【技術分野】
【０００１】
本考案は角梁と角梁を締結する場合や角梁と管柱を締結する場合に胴付を強力に締付けて耐震耐風性に対応する構造を維持する目的に羽子板ボルト又はL型金物を使用する際のボルト杆やL型金物に挟み敷いて異常発生時に対抗するスプリング式座金に関する。
【背景技術】
【０００２】
従来木造建築構造等に使用されているボルト杆等に用いられている座金は通常丸型平板座金にナットを直接に締付ける工法でありスプリング座金を使用する際も平板座金の替わりに使用をしているけれども締付材に接する面積が少ないので締付力が充分に発揮出来ないので本考案のスプリング式座金は従来の平板座金とナットとの間に挟み敷いて締付力を充分に発揮を致す必要性が有り、角型スプリング式座金は角梁とL型補強金物との間に挟み敷いて管柱の胴付を強力に締付けて耐災害時の構造確保の必要性。
【特許文献１】特許公開平9−２４２７３６
【特許文献２】特許公開２００１−１１６０３４
【特許文献３】実用登録３０７６９１３
【特許文献４】実用登録３０５５３０７
【考案の開示】
【考案が解決しようとする課題】
【０００３】
木造建築構造締結工法として平常的には維持確保に付いては特に心配は無いとしても特別な加圧が発生した場合に大きな揺れが数回に及び締付部分のナットが弛む心配があり其の都度締め直すとしても使用箇所が多いのと使用箇所が締付直しの出来ない場所が多いために本考案は災害時の数回の揺れにも耐抗するために補強金物の利用効果を高めるためにはスプリング式座金を重視する必要性が有る。
【課題を解決するための手段】
【０００４】
木造建築に於いて災害時の特殊な応力に耐効する構造強化のためには締結
部分の胴付締付補強金物の必要性と更に補強金物の効力を高めるためには当考案の反発力の強い硬弾性質鋼材にて製造する山形の丸型及び角型のスプリング
式座金の使用を特徴とする。
【考案の効果】
【０００５】
本考案の丸型並びに角型スプリング式座金は木造建築の構造取付仕口の胴付締付強化補強金物には欠かせない必需品であり此のスプリング式座金を使用する事によって耐震性構造維持が確保される。
【考案を実施するための最良の形態】
【０００６】
本考案の一実施例として図面を参照して説明する。
【実施例１】
【０００７】
図１は構造接合部の胴付締付補強金物を使用する場合にボルト杆に使用する本考案の丸型座金並びにボルト杆に使用する際の断面図の一例を示す図。
【実施例２】
【０００８】
図２は角梁と管柱を締結する場合等Ｌ型柱胴付補強金物に使用する角型座金並びに柱の胴付を締付ける際の断面図の一例を示す図。
【図面の簡単な説明】
【０００９】
【図１】・本考案による丸型スプリング式座金と使用する一例を示す図。
【００１０】
【図２】・本考案による角型スプリング式座金と使用する一例を示す図。
【符号の説明】
【００１１】
１：丸型スプリング式座金を上部から見た図。
1b：上記1の断面図
２：上記１のボルトの孔
３：ボルト杆に使用する際の上記1の取付け締付断面図。
４：ボルト杆に使用する際の平形座金。
５：ボルト杆に使用する際のナット。
６：ボルト杆部分
７：締付対称木材の例。
８：角型スプリング式の座金。
８b：上記８の横面図。
８c：上記８の締付使用前の山形盛り上がり部分。
９：締付使用のボルト部分。
10：上記８を使用する際に締付けた例。
11：角梁に管柱の胴付を締付ける際に使用するL型平板締付金物。
12：締付ナット。
13：締付け用直ボルト又はスクリューボルトの例。
14：角型梁の例。
15：管柱の例。
【図１】
0003128907.tif 000003
【図２】
0003128907.tif 000004
【手続補正書】
【提出日】平成18年11月10日(2006.11.10)
【手続補正１】
【補正対象書類名】実用新案登録請求の範囲
【補正対象項目名】全文
【補正方法】変更
【補正の内容】
【実用新案登録請求の範囲】
【請求項１】
木造建築の角型平物梁に角型平物梁を取付ける場合に胴付を締付ける目的等に補強金物を使用する際に直ボールト若しくは羽子板ボールトなどを用いる場合にボールト杆に座金とナットとの間に挟み敷いて地震などの際の数回の揺れにも対抗してナットが弛まないために用いる丸型スプリング式座金。
【請求項２】
角型梁に管柱を取付ける場合に柱の胴付を締付けるためにL型補強金物を使用してボールト等にて締付ける際に平物梁と其の金物との間に挟み敷いて地震等の際に対抗するために強力に柱の胴付を締付けるための角型スプリング式座金。
【手続補正２】
【補正対象書類名】明細書
【補正対象項目名】全文
【補正方法】変更
【補正の内容】
【考案の詳細な説明】
【技術分野】
【０００１】
本考案は角梁と角梁を締結する場合や角梁と管柱を締結する場合に胴付を強力に締付けて耐震耐風性に対応する構造を維持する目的に補強金物に羽子板ボルト又はL型金物を使用する際のボルト杆やL型金物に挟み敷いて異常発生時に対抗するスプリング式座金に関する。
【背景技術】
【０００２】
従来木造建築構造等に使用されているボルト杆等に用いられている座金は通常丸型平板座金にナットを直接に締付け使用する例が殆どであり締付材に接する面積が少ないので災害に締付力が充分に発揮出来ないので本考案のスプリング式の丸型座金を従来の平板座金とナットとの間に挟み敷いて締付力を充分に発揮を致す必要性が有り、角型スプリング式座金は角梁とL型補強金物との間に挟み敷いて管柱の胴付を強力に締付けて耐災害時の構造確保の必要性。
【特許文献１】特許公開平9−２４２７３６
【特許文献２】特許公開２００１−１１６０３４
【特許文献３】実用登録３０７６９１３
【特許文献４】実用登録３０５５３０７
【考案の開示】
【考案が解決しようとする課題】
【０００３】
木造建築の構造結合部は平常的には補強金物等にて補強を行い維持確保に付いては特に心配は無いとしても特別な地震等の加圧が発生した場合に大きな揺れが数回に及び補強金物等の締付部分のナットが弛む心配があり其の都度締め直すとしても使用箇所が多いのと使用箇所が締付直しの出来ない場所が多いために本考案は災害時の数回の揺れにも耐抗するために補強金物の利用効果を高めるためにはスプリング式座金を重視する必要性が有る。
【課題を解決するための手段】
【０００４】
木造建築に於いて災害時の特殊な応力に耐効する構造強化のためには締結
部分の胴付締付補強金物の必要性と更に補強金物の効力を高めるためには当考案の反発力の強い硬弾性質鋼材にて製造する山形の丸型及び角型のスプリング
式座金の使用を特徴とする。
【考案の効果】
【０００５】
本考案の丸型並びに角型スプリング式座金は木造建築の構造取付仕口の胴付締付強化補強金物には欠かせない必需品であり此のスプリング式座金を使用する事によって耐震性構造維持が確保される。
【考案を実施するための最良の形態】
【０００６】
本考案の一実施例として図面を参照して説明する。
【実施例１】
【０００７】
図1は本考案による丸型スプリング式座金と使用する一例を示す図。
符号1は丸型スプリング座金を上部から見た平面図、符号１bは中央が盛上った使用前の山形の丸型スプリングの断面図、符号２はボルト類を通す孔、符号３は丸型スプリングを座金とナットの間に挟み敷いてナットを締めた状況図。
【０００８】
図２は本考案による角型スプリング式座金と使用する一例を示す図。
符号８は角型スプリングの斜視図、符号８bは使用前の山形の角型スプリングの中央部分が盛上った断面図、符号８ｃは使用前の中央が盛上った側面図、符号９はボルト類を通す孔、符号10は角梁の上端や下端に管柱が取付く際に管柱の胴付を強力に締付ける際にＬ型金物と角梁の間に角型スプリングを挟み敷いた状況図、符号11は柱胴付締付Ｌ型補強金物、符号12・13はボルト類、符号14は平物角梁、符号15は管柱。
【図面の簡単な説明】
【０００９】
【図１】・本考案による丸型スプリング式座金と使用する一例を示す図。
【００１０】
【図２】・本考案による角型スプリング式座金と使用する一例を示す図。
【符号の説明】
【００１１】
１：丸型スプリング式座金を上部から見た図。
1b：上記1の断面図
２：上記１のボルトの孔
３：ボルト杆に使用する際の上記1の取付け締付断面図。
４：ボルト杆に使用する際の平形座金。
５：ボルト杆に使用する際のナット。
６：ボルト杆部分
７：締付対称木材の例。
８：角型スプリング式の座金。
８b：上記８の横面図。
８c：上記８の締付使用前の山形盛り上がり部分。
９：締付使用のボルト部分。
10：上記８を使用する際に締付けた例。
11：角梁に管柱の胴付を締付ける際に使用するL型平板締付金物。
12：締付ナット。
13：締付け用直ボルト又はスクリューボルトの例。
14：角型梁の例。
15：管柱の例。
【手続補正３】
【補正対象書類名】図面
【補正対象項目名】全図
【補正方法】変更
【補正の内容】
【図１】
0003128907.tif 000005
【図２】
0003128907.tif 000006